(57)【要約】      （修正有）【課題】複数枚のシートにおいて、記入欄と計算欄を一体化させ、必要な金額記入欄を最小限に留めたことにより短時間で家計収支を計算できる、家計整理シート、収支計算シート、将来収支計算シート、からなるワークシートを提供する。【解決手段】収支計算シートでは、まず支出計算欄２０に金額を記入する。教育費記入欄２４は教育形態毎に必要金額を記入し、合計金額を教育費合計額記入欄２５に記入する。老後必要資金計算欄２６は、老後生活費記入欄２８及び老後年数記入欄２９からなり、これらに記入した金額と１２を掛けあわせた額が老後必要資金となる。これらにその他支出欄２７に記入した金額を加えたものを未来資金合計欄３０に記入する。必要資金計算欄３１は、生活費記入欄３６、定年までの年数記入欄３７及び未来資金合計記入欄３８からなり、記載された計算式にあてはめて得られた金額を将来必要資金合計記入欄３９に記入する。【選択図】図３
0003190810.tif 000002
【実用新案登録請求の範囲】
【請求項１】
複数枚のシートからなる計算用シートであって、
左上部に収入用付箋貼付欄を設け、該貼付欄の下部を左右２つに分け、左側に上から順に食費付箋貼付欄、住居費付箋貼付欄、保険代付箋貼付欄、車関連費付箋貼付欄、お小遣い費付箋貼付欄及び自分磨き費付箋貼付欄を設け、右側に上から順に水道光熱費付箋貼付欄、通信費付箋貼付欄、日用品付箋貼付欄、娯楽費付箋貼付欄、理美容費付箋貼付欄、その他費用付箋貼付欄、合計記入欄及び生活費収支記入欄を設け、右部に見直し付箋貼付欄を設けたことを特徴とする家計整理シートと、
上から順に、支出計算欄、収入計算欄、貯金記入欄及び収支予測計算欄を設け、上記支出計算欄は、上部左側に教育費記入欄、上部右側に老後必要資金計算欄、中部にその他支出記入欄、下部に必要資金計算欄が設けられ、上記収入計算欄は、上から順に、生涯賃金計算欄、年金計算欄、退職金記入欄及び受取総収入計算欄が設けられたことを特徴とする収支計算シートと、
上から順に、剰余金記入欄、貯金額計算欄、運用額計算欄及び収支計算欄を設けたことを特徴とする将来収支計算シートと、
からなるワークシート。
【請求項２】
左上部に収入用付箋貼付欄を設け、該貼付欄の下部を左右２つに分け、左側に上から順に食費付箋貼付欄、住居費付箋貼付欄、保険代付箋貼付欄、車関連費付箋貼付欄、お小遣い費付箋貼付欄及び自分磨き費付箋貼付欄を設け、右側に上から順に水道光熱費付箋貼付欄、通信費付箋貼付欄、日用品付箋貼付欄、娯楽費付箋貼付欄、理美容費付箋貼付欄、その他費用付箋貼付欄、合計記入欄及び生活費収支記入欄を設け、右部に見直し付箋貼付欄を設けたことを特徴とする家計整理シート。
【請求項３】
上から順に、支出計算欄、収入計算欄、貯金記入欄及び収支予測計算欄を設け、上記支出計算欄は、上部左側に教育費記入欄、上部右側に老後必要資金計算欄、中部にその他支出記入欄、下部に必要資金計算欄が設けられ、上記収入計算欄は、上から順に、生涯賃金計算欄、年金計算欄、退職金記入欄及び受取総収入計算欄が設けられたことを特徴とする収支計算シート。
【請求項４】
上から順に、剰余金記入欄、貯金額計算欄、運用額計算欄及び収支計算欄を設けたことを特徴とする将来収支計算シート。
【考案の詳細な説明】
【技術分野】
【０００１】
本考案は、家計の見直しによって将来における家計の収支の変化を計算することが容易なワークシートに関するものである。
【背景技術】
【０００２】
家計の収支については、長年に渡る収支を計算する必要があり、非常に複雑であるため、計算には多大な時間を要する。
【考案の概要】
【考案が解決しようとする課題】
【０００３】
解決しようとする問題点は、家計収支の複雑な計算が短時間にて実施できない点である。
【課題を解決するための手段】
【０００４】
本考案は、記入欄と計算欄を一体化させ、必要な金額記入欄を最小限に留めたことを主要な特徴とする。
【考案の効果】
【０００５】
本考案のワークシートは、記入欄と計算欄を一体化させ、必要な金額記入欄を最小限に留めたことにより短時間で家計収支を計算できるという利点がある。
【図面の簡単な説明】
【０００６】
【図１】図１は，本考案の家計整理シート１の左側部である。
【図２】図２は、本考案の家計整理シート１の右側部である。
【図３】図３は、本考案の収支計算シート２の全体図である。
【図４】図４は、本考案の将来収支計算シート３の全体図である。
【考案を実施するための形態】
【０００７】
以下図示された実施例に基づいて説明する。
【実施例１】
【０００８】
本考案は、家計整理シート１、収支計算シート２、将来収支計算シート３、からなるワークシートであり、必要事項を記入していくことによって家計収支計算が容易にできる。以下各シート及び使用方法について説明する。
【０００９】
家計整理シート１では、現在の収入と支出の関係を付箋の利用により可視化できるという特徴がある。まず１月あたりの収入を付箋に書き込み、収入用付箋貼付欄４に貼付する。次に異なる色の付箋をいくつか用意し、当該付箋を５０００円札、１００００円札に見立て、１月あたりの支出に対応した付箋を各貼付欄に貼付する。支出の見直しによって減額した場合には、減額分に対応した付箋を見直し付箋貼付欄１９へ移動させる。このことにより、短時間で簡易に支出の見直しが可能となる。
【００１０】
収支計算シート２では、必要事項を記入することにより一生涯の収支計算が可能となる。以下各計算欄について説明する。
【００１１】
まず支出計算欄２０に金額を記入する。教育費記入欄２４は教育形態毎に必要金額を記入し、合計金額を教育費合計額記入欄２５に記入する。老後必要資金計算欄２６は、老後生活費記入欄２８及び老後年数記入欄２９からなり、これらに記入した金額と１２を掛けあわせた額が老後必要資金となる。これらにその他支出欄２７に記入した金額を加えたものを未来資金合計欄３０に記入する。必要資金計算欄３１は、生活費記入欄３６、定年までの年数記入欄３７及び未来資金合計記入欄３８からなり、記載された計算式にあてはめて得られた金額を将来必要資金合計記入欄３９に記入する。
【００１２】
次に収入計算欄２１に必要な金額を記入する。１月あたりの収入記入欄４０、賞与記入欄４１及び労働年数記入欄４２にそれぞれ金額を記入し、記載された計算式にあてはめて得られた金額を生涯賃金合計記入欄４３に記入する。１月あたりの年金記入欄４４及び年金受給年数記入欄４５に金額を記入し、記載された計算式にあてはめて得られた金額を受取年金合計記入欄４６に記入する。退職金記入欄３４に予想される退職金額を記入し、生涯賃金記入欄４３、受取年金合計記入欄４６及び退職金合計記入欄４７に記入した金額を加えて将来受取総収入合計記入欄４８に記入する。
【００１３】
家計は、家族単位で計算する必要があるため、生涯賃金、受取年金、退職金及び貯金の計算欄又は記入欄については、配偶者又は内縁者用の記入欄も設けてある。配偶者又は内縁者の記入欄に記入した場合には、その金額も加えて将来受取総収入合計記入欄４８又は貯金額合計記入欄５７に記入する。
【００１４】
収支予測計算欄２３においては、将来受取総収入合計額、貯金合計額及び将来必要資金合計額を記入し、記載された計算式に当てはめて得られた金額を現在マネー記入欄４９に記入する。
【００１５】
将来収支計算シート３では、貯金及び運用により予測される収支の変化が簡易に可視化できる。以下計算欄について説明する。
【００１６】
まず剰余金記入欄５０に家計の見直しによって生じた剰余金額を記入し、剰余金を２で除した金額を１月あたりの貯金額記入欄５１及び１月あたりの運用額記入欄５２に記入する。労働年数記入欄５３及び運用係数記入欄５４にそれぞれ記入し、記載された計算式によって得られた金額を貯金総額記入欄５５又は運用総額記入欄５６に記入する。現在マネー記入欄４９、貯金総額記入欄５５及び運用総額記入欄５６に記入した金額の合計が家計の見直しによる数値となる。
【符号の説明】
【００１７】
１    家計整理シート
２    収支計算シート
３    将来収支計算シート
４    収入用付箋貼付欄
５    食費付箋貼付欄
６    住居費付箋貼付欄
７    保険代付箋貼付欄
８    車関連費付箋貼付欄
９    お小遣い費付箋貼付欄
１０  自分磨き費付箋貼付欄
１１  水道光熱費付箋貼付欄
１２  通信費付箋貼付欄
１３  日用品付箋貼付欄
１４  娯楽費付箋貼付欄
１５  理美容費付箋貼付欄
１６  その他費用付箋貼付欄
１７  合計記入欄
１８  生活費収支記入欄
１９  見直し付箋貼付欄
２０  支出計算欄
２１  収入計算欄
２２  貯金記入欄
２３  収支予測計算欄
２４  教育費記入欄
２５  教育費合計額記入欄
２６  老後必要資金計算欄
２７  その他支出記入欄
２８  老後生活費記入欄
２９  老後年数記入欄
３０  未来資金合計欄
３１  必要資金計算欄
３２  生涯賃金計算欄
３３  年金計算欄
３４  退職金記入欄
３５  受取総収入計算欄
３６  生活費記入欄
３７  定年までの年数記入欄
３８  未来資金合計記入欄
３９  将来必要資金合計記入欄
４０  １月あたりの収入記入欄
４１  賞与記入欄
４２  労働年数記入欄
４３  生涯賃金合計記入欄
４４  １月あたりの年金記入欄
４５  年金受給年数記入欄
４６  受取年金合計記入欄
４７  退職金合計記入欄
４８  将来受取総収入合計記入欄
４９  現在マネー記入欄
５０  剰余金記入欄
５１  １月あたりの貯金額記入欄
５２  １月あたりの運用額記入欄
５３  労働年数記入欄
５４  運用係数記入欄
５５  貯金総額記入欄
５６  運用総額記入欄
５７  貯金額合計記入欄
５８  貯金額計算欄
５９  運用額計算欄
６０  収支計算欄
【図１】
0003190810.tif 000003
【図２】
0003190810.tif 000004
【図３】
0003190810.tif 000005
【図４】
0003190810.tif 000006